(57)【要約】【課題】  本発明は、現像剤補給容器の排出口と画像形成装置側の受け入れ口との接続の安定性の向上を図る現像剤補給容器を提供する。【解決手段】  トナーを収容する現像剤収容部２ａと、該現像剤収容部２ａに収容されたトナーを現像剤補給容器１から排出する現像剤補給口５ｂと、該現像剤補給口５ｂに向けて現像剤収容部２ａのトナーを搬送する搬送部２ｂと、該搬送部２ｂを回転させるための回転駆動力を受ける回転可能な駆動受け部７ａと、現像剤補給装置に対する現像剤補給容器１の位置を決めるために現像剤補給容器１に設けられた保持機構304によって保持される保持突起部４ｈと、を有し、回転軸線方向において現像剤補給口５ｂは駆動受け部７ａと保持突起部４ｈとの間に配置されている。【選択図】      図３
2014182267.tif 000002
【特許請求の範囲】
【請求項１】
現像剤補給装置に着脱可能な現像剤補給容器であって、
現像剤を収容する現像剤収容部と、
前記現像剤収容部に収容された現像剤を現像剤補給容器から排出する排出口と、
前記排出口に向けて前記現像剤収容部の現像剤を搬送する搬送部と、
前記搬送部を回転させるための回転駆動力を受ける回転可能な駆動受け部と、
前記現像剤補給装置に対する現像剤補給容器の位置を決めるために現像剤補給容器に設けられた保持機構によって保持される保持部と、
を有し、
回転軸線方向において前記排出口は前記駆動受け部と前記保持部との間に配置されていることを特徴とする現像剤補給容器。
【請求項２】
前記保持部は、前記現像剤補給容器が前記現像剤補給容器に装着される装着方向において、前記排出口よりも上流側の前記現像剤補給容器の先端に設けられたことを特徴とする請求項１に記載の現像剤補給容器。
【請求項３】
前記現像剤補給容器の装着動作に伴って、現像剤受け入れ口と前記排出口とが該現像剤補給容器の装着方向と交差する方向に相対変位して接続されることを特徴とする請求項１または請求項２に記載の現像剤補給容器。
【請求項４】
前記現像剤補給容器が装着される位置において、前記保持部は、前記保持機構により前記現像剤補給容器の装着方向と、前記現像剤受け入れ口と前記排出口の接続方向と、の方向に付勢する力を受けることを特徴とする請求項３に記載の現像剤補給容器。
【請求項５】
前記現像剤補給容器は、
前記現像剤補給容器の内容積を変化させることにより前記現像剤補給容器内の圧力を変化させる容積可変手段を備えており、
前記容積可変手段の作用によって発生するエアを利用して前記排出口から現像剤を排出させることを特徴とする請求項１〜４のいずれか１項に記載の現像剤補給容器。
【請求項６】
前記駆動受け部は、ギアで構成されていることを特徴とする請求項１から請求項５のいずれか１項に記載の現像剤補給容器。
【請求項７】
現像剤受け入れ装置と、前記現像剤受け入れ装置に着脱可能な現像剤補給容器と、を有する現像剤補給装置において、
前記現像剤受け入れ装置は、
前記現像剤補給容器を取り外し可能に装着する装着部と、
前記現像剤補給容器から現像剤を受け入れる現像剤受け入れ部と、
前記現像剤補給容器へ駆動力を付与する駆動部と、
前記現像剤受け入れ装置に対する現像剤補給容器の位置を決めるために現像剤補給容器に設けられた保持機構と、
を有し、
前記現像剤補給容器は、
現像剤を収容する現像剤収容部と、
前記現像剤収容部に収容された現像剤を現像剤補給容器から排出する排出口と、
前記排出口に向けて前記現像剤収容部の現像剤を搬送する搬送部と、
前記搬送部を回転させるための回転駆動力を受ける回転可能な駆動受け部と、
前記保持機構によって保持される保持部と、
を有し、
回転軸線方向において前記排出口は前記駆動受け部と前記保持部との間に配置されていることを特徴とする現像剤補給装置。
【請求項８】
前記保持部は、前記現像剤補給容器が前記現像剤補給容器に装着される装着方向において、前記排出口よりも上流側の前記現像剤補給容器の先端に設けられたことを特徴とする請求項７に記載の現像剤補給装置。
【請求項９】
前記現像剤補給容器の装着動作に伴って、前記現像剤受け入れ口と前記排出口とが該現像剤補給容器の装着方向と交差する方向に相対変位して接続されることを特徴とする請求項７または請求項８に記載の現像剤補給装置。
【請求項１０】
前記現像剤補給容器が装着される位置において、前記保持部は、前記保持機構により前記現像剤補給容器の装着方向と、前記現像剤受け入れ口と前記排出口の接続方向と、の方向に付勢する力を受けることを特徴とする請求項９に記載の現像剤補給装置。
【請求項１１】
前記現像剤補給容器は、
前記現像剤補給容器の内容積を変化させることにより前記現像剤補給容器内の圧力を変化させる容積可変手段を備えており、
前記容積可変手段の作用によって発生するエアを利用して前記排出口から現像剤を排出させることを特徴とする請求項７〜１０のいずれか１項に記載の現像剤補給装置。
【請求項１２】
前記駆動受け部は、ギアで構成されていることを特徴とする請求項７〜請求項１１のいずれかに記載の現像剤補給装置。
【発明の詳細な説明】
【技術分野】
【０００１】
本発明は、画像形成装置に用いる現像剤補給容器に関する。
【背景技術】
【０００２】
近年、画像形成装置に用いられる現像剤補給容器は、現像剤を画像形成装置本体内で必要に応じて補給する据え置きタイプが主流となっている。
【０００３】
ここで、据え置きタイプの現像剤補給容器においては、現像剤が少なくなってきた場合、ユーザが現像剤補給容器を交換する。画像形成装置本体内で現像剤の飛散量をより小さくする現像剤補給容器が求められている。
【０００４】
特許文献１の現像剤補給容器においては小径の排出口より現像剤補給容器に設けられた圧力発生手段により、現像剤補給容器の内外に圧力差を発生させ、その圧力差を利用して現像剤を排出する。これにより現像剤を安定して補給出来、また排出口が小径であることにより現像剤の飛散量を低減させている。
【先行技術文献】
【特許文献】
【０００５】
【特許文献１】特開２０１０−２５６８９３号公報
【発明の概要】
【発明が解決しようとする課題】
【０００６】
このような特許文献１の現像剤補給容器を用いる構成においては、現像剤補給容器の排出口と画像形成装置側の現像剤の受け入れ口との接続の安定性の向上が図られている。
【０００７】
本発明は前記課題を解決するものであり、その目的とするところは、現像剤補給容器の排出口と画像形成装置側の受け入れ口との接続の安定性の向上を図る現像剤補給容器を提供するものである。
【課題を解決するための手段】
【０００８】
前記目的を達成するための本発明に係る現像剤補給容器の代表的な構成は、現像剤補給装置に着脱可能な現像剤補給容器であって、現像剤を収容する現像剤収容部と、前記現像剤収容部に収容された現像剤を現像剤補給容器から排出する排出口と、前記排出口に向けて前記現像剤収容部の現像剤を搬送する搬送部と、前記搬送部を回転させるための回転駆動力を受ける回転可能な駆動受け部と、前記現像剤補給装置に対する現像剤補給容器の位置を決めるために現像剤補給容器に設けられた保持機構によって保持される保持部と、を有し、回転軸線方向において前記排出口は前記駆動受け部と前記保持部との間に配置されていることを特徴とする。
【発明の効果】
【０００９】
上記構成によれば、現像剤補給容器の排出口と画像形成装置側の受け入れ口との接続の安定性の向上を図ることができる。
【図面の簡単な説明】
【００１０】
【図１】本発明に係る現像剤補給容器を備えた画像形成装置の構成を示す断面説明図である。
【図２】本発明に係る現像剤補給容器を備えた画像形成装置の構成を示す斜視説明図である。
【図３】（ａ）は現像剤受け入れ装置の構成を示す斜視説明図、（ｂ）は現像剤受け入れ装置の構成を示す断面説明図である。
【図４】（ａ），（ｂ）はハウジングの構成を示す斜視説明図である。
【図５】（ａ）は現像剤受け入れ部の構成を示す斜視説明図、（ｂ）は現像剤受け入れ部の構成を示す正面説明図である。
【図６】（ａ）は保持機構の構成を示す斜視説明図、（ｂ）〜（ｄ）は保持機構の回動動作を示す側面説明図である。
【図７】現像剤補給容器の構成を示す斜視説明図である。
【図８】現像剤補給容器の構成を示す分解斜視図である。
【図９】（ａ）は現像剤収容体の構成を示す斜視説明図、（ｂ）は現像剤収容体の構成を示す正面説明図である。
【図１０】（ａ）は搬送部材の構成を示す断面説明図、（ｂ）は搬送部材の構成を示す斜視説明図である。
【図１１】（ａ）は保持機構の構成を示す斜視説明図、（ｂ）は保持機構の構成を示す側面説明図、（ｃ）は保持機構の構成を示す断面説明図である。
【図１２】（ａ）は開口シールのシール面側の構成を示す斜視説明図、（ｂ）は開口シールの固定面側の構成を示す斜視説明図である。
【図１３】（ａ）はボトルシャッタの封止面側の構成を示す斜視説明図、（ｂ）はボトルシャッタの誘い込み部側の構成を示す斜視説明図である。
【図１４】（ａ）は保護部材の当接面側の構成を示す斜視説明図、（ｂ）は保護部材の係合部側の構成を示す斜視説明図である。
【図１５】（ａ）は動力変換部材の構成を示す斜視説明図、（ｂ）は動力変換部材のカム溝側の構成を示す正面説明図、（ｃ）は動力変換部材の係合部側の構成を示す背面説明図である。
【図１６】（ａ）は往復部材の構成を示す側面説明図、（ｂ）は往復部材の構成を示す斜視説明図である。
【図１７】容積可変手段の構成を示す斜視説明図である。
【図１８】本実施形態の現像剤補給容器と、比較例１、２の現像剤補給容器について性能比較結果を示す図である。
【発明を実施するための形態】
【００１１】
図により本発明に係る現像剤補給容器の一実施形態を具体的に説明する。尚、以下の説明において、特段の記載がない限り、発明の思想の範囲内において現像剤補給容器１の種々の構成を同様な機能を奏する公知の他の構成に置き換えることが可能である。即ち、特段の記載がない限り、後述する実施形態に記載された現像剤補給容器１の構成だけに限定するものではない。
【００１２】
先ず、本発明に係る現像剤補給容器１を備えた画像形成装置100の構成について説明し、続いて、この画像形成装置100に搭載される現像剤補給システムを構成する現像剤受け入れ装置300と現像剤補給容器１の構成について順に説明する。
【００１３】
＜画像形成装置＞
図１を用いて現像剤を収容すると共に画像形成装置100に着脱可能なトナーカートリッジからなる現像剤補給容器１について説明する。更に、現像剤補給容器１が着脱可能（取り出し可能）に装着される現像剤受け入れ装置300が搭載された画像形成装置100の一例として電子写真方式を採用した複写機（電子写真画像形成装置）の構成について説明する。
【００１４】
図１において、101は原稿であり、原稿台ガラス102の上に置かれる。そして、原稿101の画像情報に応じた光像を光学部103の複数のミラー13とレンズ14により、像担持体となる電子写真感光体からなる感光ドラム104の表面上に結像させることにより静電潜像を形成する。この静電潜像は乾式の現像装置（一成分現像装置）201により現像剤（乾式粉体）としてのトナー（一成分磁性トナー）を用いて可視化される。
【００１５】
尚、本実施形態では、現像剤補給容器１から補給する現像剤として一成分磁性トナーを用いた例について説明するが、このような例だけではなく、後述するような構成としても構わない。
【００１６】
具体的には、一成分非磁性トナーを用いて現像を行う一成分現像装置を用いる場合、現像剤として一成分非磁性トナーを補給することになる。また、磁性キャリアと非磁性トナーを混合した二成分現像剤を用いて現像を行う二成分現像装置を用いる場合、現像剤として非磁性トナーを補給することになる。尚、この場合、現像剤として非磁性トナーと共に磁性キャリアも併せて補給する構成としても構わない。
【００１７】
図１に示す現像装置201は、上述したように、原稿101の画像情報に基づいて像担持体としての感光ドラム104の表面上に形成された静電潜像を現像剤としてトナーを用いて現像するものである。また、現像装置201には、現像剤ホッパ201ａの他に、現像ローラ201ｆが設けられている。この現像剤ホッパ201ａには、現像剤補給容器１から補給された現像剤を撹拌するための撹拌部材201ｃが設けられている。そして、この撹拌部材201ｃにより撹拌された現像剤は搬送部材201ｄにより更に下流側の搬送部材201ｅへと送られる。
【００１８】
そして、搬送部材201ｅ，201ｂにより順に搬送されてきた現像剤は、現像ローラ201ｆに担持され、最終的に該現像ローラ201ｆと感光ドラム104とが対向する現像部へと供給される。
【００１９】
本実施形態では、現像剤補給容器１から現像剤としてのトナーを現像装置201へ補給する構成としているが、例えば、現像剤補給容器１から現像剤としてのトナー及びキャリアを補給する構成としても構わない。
【００２０】
図１に示す105〜108は記録材12を収容する給送カセットである。これら給送カセット105〜108に積載された記録材12のうち、画像形成装置100の液晶操作部からユーザが入力した情報、もしくは原稿101のサイズに基づいて最適な給送カセット105〜108が適宜選択される。
【００２１】
そして、給送分離装置105Ａ〜108Ａにより適宜搬送された一枚の記録材12を、搬送部109を経由してレジストローラ110まで搬送する。そして、感光ドラム104の回転と、光学部103のスキャンのタイミングとに同期させてレジストローラ110により記録材12を搬送する。
【００２２】
111は転写帯電器である。112は分離帯電器である。ここで、転写帯電器111によって、感光ドラム104の表面上に形成された現像剤像（トナー像）を記録材12に転写する。そして、分離帯電器112によって、現像剤像（トナー像）が転写された記録材12を感光ドラム104の表面から分離する。
【００２３】
この後、搬送部113により搬送された記録材12は定着部114において加熱及び加圧されて該記録材12上の現像剤像を定着させた後、片面コピーの場合には、排出反転部115を通過し、排出ローラ116により排出トレイ117上へ排出される。
【００２４】
また、両面コピーの場合には、記録材12は排出反転部115を通り、一旦、排出ローラ116により一部が画像形成装置100外へ排出される。その後、記録材12の終端がフラッパ118を通過し、排出ローラ116にまだ挟持されているタイミングで該フラッパ118を制御すると共に排出ローラ116を逆回転させる。これにより、再度、画像形成装置100内へ搬送される。更に、この後、再給送搬送部119，120を経由してレジストローラ110まで搬送された後、片面コピーの場合と同様の搬送経路を辿って排出トレイ117上へ排出される。
【００２５】
画像形成装置100において、感光ドラム104の回りには現像手段としての現像装置201、クリーニング手段としてのクリーナ部202、帯電手段としての一次帯電器203等の画像形成プロセス機器が設置されている。尚、現像装置201は原稿101の画像情報に基づいて光学部103により感光ドラム104の表面上に形成された静電潜像に現像剤を付着させることにより現像するものである。また、一次帯電器203は、感光ドラム104の表面上に所望の静電潜像を形成するために該感光ドラム104の表面を一様に帯電するためのものである。また、クリーナ部202は感光ドラム104の表面上に残留している現像剤を除去するためのものである。
【００２６】
図２は画像形成装置100の外観図である。画像形成装置100の外装カバーの一部である交換用カバー40をユーザが開けると、図３に示す現像剤受け入れ装置300の一部が現れる。そして、現像剤受け入れ装置300内に現像剤補給容器１を図３の矢印ｄ方向に挿入して装着することで、現像剤補給容器１は現像剤受け入れ装置300へ現像剤を補給可能な状態にセットされる。
【００２７】
一方、ユーザが現像剤補給容器１を交換する際は、装着時とは逆の操作を行うことで現像剤受け入れ装置300から現像剤補給容器１を脱離して取り出すことが出来る。そして、新たな現像剤補給容器１を再度セットすれば良い。
【００２８】
交換用カバー40は現像剤補給容器１を交換等のために着脱するための専用カバーであって、現像剤補給容器１を着脱するために開閉される。尚、画像形成装置100本体のメンテナンスは、図２に示す前面カバー100ｃを開閉することにより行われる。ここで、交換用カバー40と前面カバー100ｃとは一体的に構成することでも良い。その場合、現像剤補給容器１の交換や画像形成装置100本体のメンテナンスは一体化された図示しない開閉カバーを開閉することにより行われる。
【００２９】
＜現像剤受け入れ装置＞
次に、図３を用いて現像剤受け入れ装置300の構成について説明する。画像形成装置100に設けられる現像剤受け入れ装置300は、図７に示す現像剤補給容器１を脱着可能に構成されている。図３に示すように、現像剤受け入れ装置300には、図７に示す現像剤補給容器１が挿入される装着部となるハウジング301が設けられる。更に、該現像剤補給容器１からの現像剤を受け入れる現像剤受け入れ口302ａを有する現像剤受け入れ部材302が設けられる。
【００３０】
更に、図３（ｂ）に示すように、該現像剤受け入れ口302ａから受け入れた現像剤を貯留し、図１に示す現像装置201へ搬送するバッファ部303が設けられる。更に、図７に示す現像剤補給容器１を装着位置へ案内すると共に該装着位置に保持する保持機構304が設けられる。更に、図７に示す現像剤補給容器１を回転駆動する駆動ギアからなる駆動部305、図７に示す現像剤補給容器１の回転位相を検知する検知手段となる位相検知部306等が設けられている。
【００３１】
＜ハウジング＞
次に、図４を用いて現像剤受け入れ装置300のハウジング301の構成について説明する。ハウジング301には、図４（ｂ）に示すように、図７に示す現像剤補給容器１を受け入れる挿入口301ａが形成されている。ハウジング301は図７に示す現像剤補給容器１の全長に対応する長さと、該現像剤補給容器１の外形形状に対応する内形形状を有して構成されている。
【００３２】
図３に示すハウジング301内に図７に示す現像剤補給容器１が装着された際に該ハウジング301が現像剤補給容器１の外周全体を覆うように設けられている。また、ハウジング301には図４（ａ）に示すように、図８に示す現像剤補給容器１のボトルシャッタ５の位置を保持するボトルシャッタ保持部301ｂが設けられる。更に、図４（ａ）に示すように、図11に示す保持部材（被保持部）４の一部に設けられたロック部４ｉと係合するロック解除突起部301ｃが設けられる。
【００３３】
また、図４（ａ）に示すように、ハウジング301には、図６に示す保持機構304に設けられた引き込み部材304ａの回動軸となる支軸304a3が回転可能に保持される支持穴301ｄが形成されている。更に、図４（ａ）に示すように、ハウジング301の図７に示す現像剤補給容器１の装着方向となる図７の矢印ｄ方向の下流側端には該現像剤補給容器１の装着方向の挿入を規制するストッパ301ｅが形成されている。
【００３４】
＜現像剤受け入れ部＞
次に、図５を用いて現像剤受け入れ部材302の構成について説明する。図５（ａ）に示すように、現像剤受け入れ部材302は、現像剤を受け入れる現像剤受け入れ口302ａと、その周囲に設けられた受け入れ口シール302ｂを備えている。
【００３５】
また、現像剤受け入れ部材302は、図７に示す現像剤補給容器１のハウジング301に対する装着動作に伴って、図11（ｂ）に示す保持部材４に設けられた傾斜部４ｄ，４ｋと係合しつつ該傾斜部４ｄ，４ｋに沿って摺動する。
【００３６】
これによって、現像剤受け入れ部材302の現像剤受け入れ口302ａを図12に示す開口シール10の排出口10ａに対向する位置へと変位させる係合突起部302ｃを備えている。図12に示す開口シール10の排出口10ａは現像剤補給容器１の現像剤を収容する現像剤収容部２ａ内（現像剤収容部内）の現像剤を排出する排出口となる。
【００３７】
更に、図５に示す現像剤受け入れ部材302には、図13（ｂ）に示すボトルシャッタ５の凹部からなる誘い込み部５ｅに嵌入当接する傾斜部302ｄが設けられている。傾斜部302ｄは、図７に示す現像剤補給容器１の装着動作に伴って、図５（ａ）に示す現像剤受け入れ口302ａと、図13（ｂ）に示すボトルシャッタ５の現像剤補給口５ｂとの位置合わせを行う凸部からなる。
【００３８】
図５（ａ）に示す現像剤受け入れ部材302の凸部からなる傾斜部302ｄを、図13（ｂ）に示すボトルシャッタ５の凹部からなる誘い込み部５ｅに嵌合する。これによって、図５（ａ）に示す現像剤受け入れ部材302の現像剤受け入れ口302ａは、図13に示すボトルシャッタ５の現像剤補給口５ｂと連通する。
【００３９】
これにより、図７に示す現像剤補給容器１の装着動作に伴って、図５（ａ）に示す現像剤受け入れ部材302の現像剤受け入れ口302ａと、現像剤補給容器１の現像剤を収容する現像剤収容部２ａ内の現像剤を排出する排出口とが連通して接続される。
【００４０】
現像剤収容部２ａ内の現像剤を排出する排出口は、図12に示す開口シール10の排出口10ａと、図13（ｂ）に示すボトルシャッタ５の現像剤補給口５ｂである。現像剤受け入れ部材302の現像剤受け入れ口302ａと、開口シール10の排出口10ａとが該現像剤補給容器１の装着方向となる図７の矢印ｄ方向と異なる交差する方向となる図７の矢印ｄ方向と反対方向に相対変位して接続される。
【００４１】
また、図５に示すように、現像剤受け入れ部材302の軸部302ｆにはコイルバネからなる付勢部材302ｅが嵌装して設けられている。図13（ｂ）に示すように、図４（ａ）に示すハウジング301に設けられた貫通穴301ｆに図５に示す現像剤受け入れ部材302の軸部302ｆを挿通する。そして、付勢部材302ｅの上端部をハウジング301の貫通穴301ｆの周囲のフランジ部301ｇに当接させるように組み付ける。これにより該付勢部材302ｅの付勢力によって現像剤受け入れ部材302は常時、図３（ｂ）の鉛直下方向Gへ付勢されている。
【００４２】
尚、図５に示す受け入れ口シール302ｂは、発泡ウレタンからなり、図13に示すボトルシャッタ５と、現像剤受け入れ部材302とによって圧縮されることにより、該ボトルシャッタ５と、現像剤受け入れ部材302との接続部からの現像剤の漏れを防ぐ。本実施形態では受け入れ口シール302ｂの圧縮率を３０％に設定した。
【００４３】
＜バッファ部＞
次に、図３（ｂ）を用いてバッファ部303の構成について説明する。図３（ｂ）に示すように、ハウジング301の現像剤受け入れ部材302の下部にはバッファ部303が設けられている。バッファ部303に連通して現像剤を一時的に貯留する貯留部303ａと、該貯留部303ａに貯留した現像剤を図１に示す現像装置201へ送り出す搬送部材303ｂが設けられている。
【００４４】
＜保持機構＞
次に、図６を用いて保持機構304の構成について説明する。図６（ａ）に示すように、図７に示す現像剤補給容器１の装着動作に伴って図11に示す保持部材４に設けられた保持突起部４ｈに係合し、該現像剤補給容器１を装着位置まで引き込む保持機構304が現像剤受け入れ装置300に設けられている。
【００４５】
図11に示す保持部材４に設けられた保持突起部４ｈは、現像剤補給容器１の装着方向となる図７の矢印ｄ方向の先端部（装着方向先端部）に設けられた保持部として構成される。
【００４６】
図６（ａ）に示すように、保持機構304は、引き込み部材304ａと、図７に示す現像剤補給容器１を引き込むための付勢力を発生させる付勢部材304ｂと、支軸304a3とを備えている。そして、該支軸304a3が図４（ａ）に示すハウジング301に設けられた支持穴301ｄに回転自在に挿通されて該支軸304a3を中心に図６（ｂ）〜（ｄ）に示す矢印ｃ方向へ回動自在に設けられている。
【００４７】
図６に示す引き込み部材304ａには、図７に示す現像剤補給容器１の装着動作に伴って該現像剤補給容器１の装着方向先端部に設けられる図14（ａ）に示す保護部材６の当接部６ａと当接する突当部304a1が設けられている。更に、図11（ｂ）に示す保持部材４の保持突起部４ｈに形成された当接部４h1に当接する抑え部304a2が設けられている。
【００４８】
図７に示す現像剤補給容器１は、該現像剤補給容器１の画像形成装置100への装着動作に伴って図６に示す保持機構304の突当部304a1と当接する当接面となる当接部６ａを該現像剤補給容器１の装着方向先端部に設けられた保護部材６に備えている。図６に示す保持機構304の突当部304a1と当接する当接面となる当接部６ａは該現像剤補給容器１の装着方向端面に設けられている。
【００４９】
また、図６に示す引き込み部材304ａの両側面には、図４（ａ）に示すハウジング301に設けられた支持穴301ｄに回転自在に軸支される支軸304a3が突設されている。図６（ａ）に示すように、コイルバネからなる付勢部材304ｂの一端は引き込み部材304ａに設けられた係合部304ｃに係合支持されている。また、図３（ｂ）に示すように、付勢部材304ｂの他端はハウジング301に設けられた支軸301ｈに係合支持されている。
【００５０】
また、図６に示す引き込み部材304ａは、図６（ｂ）〜（ｄ）に示すように、支軸304a3を回動中心として回動自在に軸支されている。従って、図６（ｂ）〜（ｄ）に示すように、引き込み部材304ａの支軸304a3を中心とする図６（ｂ）〜（ｄ）の矢印ｃ方向の回動に伴って、位置関係が変化する。
【００５１】
上記位置関係の変化は、該引き込み部材304ａの係合部304ｃと、ハウジング301の支軸301ｈとの間に張架された付勢部材304ｂと、引き込み部材304ａの回動中心となる支軸304a3との位置関係の変化である。
【００５２】
具体的には、付勢部材304ｂは、引き込み部材304ａの回動中心となる支軸304a3に対して、該支軸304a3を中心とする引き込み部材304ａの図６（ｂ）〜（ｄ）の矢印ｃ方向への回転方向上流側から下流側へと位置が変化する。
【００５３】
また、引き込み部材304ａの回動中心となる支軸304a3と、付勢部材304ｂとの位置関係の変化に伴って、該付勢部材304ｂの引っ張り力からなる付勢力が変化する。
【００５４】
即ち、引き込み部材304ａの支軸304a3を中心とする回転方向に作用する方向が図６（ｂ）に示す矢印ａ方向から図６（ｄ）に示す矢印ｂ方向へ変位する。
【００５５】
＜駆動部＞
次に、図３を用いて駆動部305の構成について説明する。図３（ａ）に示すギアを有して構成される駆動部305は、現像剤補給容器１のハウジング301に対する装着位置において、該駆動部305から回転駆動力を受ける図８に示す動力変換部材７のギアで構成される駆動受け部７ａと噛合して係合する。そして、現像剤補給容器１に回転駆動力を伝達する。
【００５６】
＜現像剤補給容器＞
次に、図７及び図８を用いて現像剤補給容器１の構成について説明する。図７に示す現像剤補給容器１が画像形成装置100のハウジング301の装着位置に装着された際に図３に示すギアからなる駆動部305が図７に示すギアからなる駆動受け部７ａに噛合する。そして、該画像形成装置100からの回転駆動力を受けて現像剤収容体２が回転する。これにより、現像剤収容部２ａの内面側に螺旋状に突出して設けられた搬送部２ｂにより現像剤を図９（ａ）に示す開口部２ｃまで搬送する。
【００５７】
一方、図７に示す現像剤補給容器１が画像形成装置100のハウジング301の装着位置に装着される。すると、図12に示す開口シール10の排出口10ａ、図13に示すボトルシャッタ５の現像剤補給口５ｂ、図５（ａ）に示す現像剤受け入れ部材302の現像剤受け入れ口302ａが連通される。
【００５８】
そして、現像剤は、図９（ａ）に示す開口部２ｃから図12に示す開口シール10の排出口10ａ、図13に示すボトルシャッタ５の現像剤補給口５ｂを経由する。更に、図５（ａ）に示す現像剤受け入れ部材302の現像剤受け入れ口302ａ、図３（ｂ）に示すハウジング301に設けられたバッファ部303を経由して貯留部303ａに貯留され、該貯留部303ａから搬送部材303ｂによって現像装置201に補給される。
【００５９】
現像剤補給容器１は、図８に示すように、現像剤を収容する現像剤収容体２、図10に示す搬送部材３を有する。更に、図11に示す保持部となる保持部材４の保持突起部４ｈ、図13に示すボトルシャッタ５、図14に示す保護部材６、図15に示す動力変換部材７、図16に示す往復部材８を有する。
【００６０】
更に、現像剤補給容器１は、図８に示すように、該現像剤補給容器１の内容積を変化させることにより該現像剤補給容器１内（現像剤補給容器内）の圧力を変化させる容積可変手段となる図17に示す伸縮部材９を有する。更に、現像剤補給容器１は、図８に示すように、図12に示す開口シール10、図８に示す回転シール11等を有して構成される。
【００６１】
＜現像剤収容体＞
次に、図９を用いて現像剤補給容器１の現像剤収容体２の構成について説明する。図９に示すように、現像剤収容体２は現像剤を収容する現像剤収容部２ａと、該現像剤収容体２の回転に伴って現像剤を搬送する搬送部２ｂを有する。更に、搬送された現像剤を排出する開口部２ｃと、該現像剤収容部２ａと開口部２ｃとの間に形成された円筒状の小径部２ｆとを備えている。
【００６２】
更に、複数のリブ状突起部からなり、現像剤収容体２の回転を保持する回転保持部２ｄと、図15に示す動力変換部材７の係合部７ｃと係合して回転駆動力を受ける被係合部２ｅと、を小径部２ｆの外周面側に備えている。尚、搬送部２ｂは現像剤収容部２ａの内面側に突出する螺旋状の突起部であり、現像剤収容体２の回転によって現像剤を図７の矢印ｄ方向へ搬送する。
【００６３】
＜搬送部材＞
次に、図８及び図10を用いて搬送部材３の構成について説明する。図10に示す搬送部材３は、図８に示すように、現像剤収容体２に固定されている。そして、該現像剤収容体２の現像剤収容部２ａの開口部２ｃの近傍まで搬送された現像剤を該搬送部材３の回転に伴って持ち上げる現像剤持上げ部３ａを有する。更に、該現像剤持上げ部３ａにより持ち上げた現像剤を傾斜面に沿って搬送する搬送板３ｂとを備えている。
【００６４】
＜保持部＞
次に、図11を用いて保持部となる保持部材４の保持突起部４ｈの構成について説明する。図11（ａ）に示すように、保持部材４は、図９に示す現像剤収容体２の回転保持部２ｄと嵌合して該現像剤収容体２を回転可能に保持する円筒状の嵌合部４ｂを有する。該嵌合部４ｂの一部には図９に示す回転保持部２ｄのリブ状突起部に係止する弾性変形可能な係止爪４ｎが該嵌合部４ｂの円筒面に沿って複数形成されている。
【００６５】
更に、図11（ｃ）に示すように、保持部材４は、図10に示す搬送部材３によって搬送された現像剤を貯留する貯留部４ａを有する。該貯留部４ａの先端には、図12に示す排出口10ａが形成された開口シール10を貼り付ける座面４ｆが形成されている。
【００６６】
また、図11（ｃ）に示す嵌合部４ｂに対して図７の矢印ｄ方向で示す現像剤補給容器１の装着方向下流側に図17に示す伸縮部材９のネジ部９ｂが螺合して係合するネジ部４ｃが形成されている。
【００６７】
更に、図11（ｂ）に示すように、保持部材４には、図３及び図５に示す現像剤受け入れ部材302の係合突起部302ｃが摺動自在に係合する傾斜部４ｄ，４ｋが設けられている。更に、図11（ｃ）に示すように、保持部材４には、図13に示すボトルシャッタ５が摺動自在に挿入して組み付けられるボトルシャッタ保持部４ｅが設けられている。更に、図11（ｃ）に示すように、保持部材４には、図７に示す現像剤補給容器１が非装着時に図13に示すボトルシャッタ５の現像剤補給口５ｂを隠蔽する隠蔽部４ｇが形成されている。
【００６８】
また、図11（ａ），（ｂ）に示すように、保持部材４には、図13に示すボトルシャッタ５のロック突起部５ｄと係合して該ボトルシャッタ５の変位を規制するロック部４ｉがロックアーム４ｍの先端に形成されている。
【００６９】
図11に示す保持部材４の図７の矢印ｄ方向で示す現像剤補給容器１の装着方向下流側の先端部分には、保持突起部４ｈが設けられている。保持突起部４ｈは、図６に示す現像剤受け入れ装置300に設けられた保持機構304の引き込み部材304ａの抑え部304a2が当接する当接部４h1を有する。
【００７０】
図11に示す保持突起部４ｈの当接部4h1は、図７の矢印ｄ方向で示す現像剤補給容器１の装着方向上流側に設けられる。該当接部4h1は、図６に示す保持機構304の引き込み部材304ａが付勢部材304ｂの引っ張り力により支軸304a3を中心に回動して抑え部304a2が当接することで該引き込み部材304ａによる引き込み力を受ける。
【００７１】
＜開口シール＞
次に、図12を用いて開口シール10の構成について説明する。図12に示す開口シール10は、図11（ｃ）に示す保持部材４の座面４ｆ上に図12（ｂ）に示す両面テープ10ｃにより貼着される。図12（ａ）に示すように、開口シール10には現像剤をシールするシール面10ｂの一部に貫通穴からなる排出口10ａが形成されている。
【００７２】
そして、図７に示す現像剤補給容器１がハウジング301に装着された装着位置において、図12に示す排出口10ａと、図13に示すボトルシャッタ５の貫通穴からなる現像剤補給口５ｂとが連通する。
【００７３】
尚、図７に示す現像剤補給容器１が非装着位置において、図12（ａ）に示す開口シール10のシール面10ｂには図13（ａ）に示すボトルシャッタ５の封止部５ａが該ボトルシャッタ５自身の弾性力により圧接されている。これにより、図11（ｃ）に示す保持部材４の貯留部４ａからの現像剤の漏れを防止している。
【００７４】
本実施形態では、ボトルシャッタ５の封止部５ａが開口シール10のシール面10ｂに圧接された際の該シール面10ｂの圧縮率を約２０％に設定している。尚、開口シール10のシール面10ｂの圧縮率は、図11（ｃ）に示す保持部材４の座面４ｆの高さを調整すること等により適宜設定することができる。
【００７５】
＜ボトルシャッタ＞
次に、図13を用いてボトルシャッタ５の構成について説明する。図13に示すボトルシャッタ５は、図11（ｃ）に示す保持部材４のボトルシャッタ保持部４ｅ内に図11（ｃ）の左右方向に摺動可能に挿入されて組み付けられている。これにより、ボトルシャッタ５の封止部５ａは、図12に示す開口シール10の排出口10ａを開封する開封位置と、該排出口10ａを封止する封止位置との間を移動する。ボトルシャッタ５は、図７の矢印ｄ方向で示す現像剤補給容器１の装着方向、或いは、図７の矢印ｄ方向と反対方向の脱離方向に沿って移動可能である。
【００７６】
図13（ａ）に示すように、ボトルシャッタ５には、封止位置において図12（ａ）に示す開口シール10のシール面10ｂに圧接することにより現像剤の漏れを防止する封止部５ａが設けられている。更に、開放位置において図12に示す開口シール10の排出口10ａと連通して現像剤を補給可能とする現像剤補給口５ｂが設けられている。
【００７７】
また、図13に示すように、ボトルシャッタ５には、図７に示す現像剤補給容器１の装着動作の過程において、図４（ａ）に示す現像剤受け入れ装置300のハウジング301に形成されたボトルシャッタ保持部301ｂと係合する保持突起部５ｃが設けられている。
【００７８】
更に、図13に示すように、ボトルシャッタ５には、図11に示す保持部材４のロック部４ｉに係合するロック突起部５ｄが設けられている。更に、図13（ｂ）に示すように、ボトルシャッタ５には、図５に示す現像剤受け入れ部材302の現像剤受け入れ口302ａの外周部に設けられた凸部からなる傾斜部302ｄが当接する誘い込み部５ｅが設けられている。凹部からなる誘い込み部５ｅは現像剤補給口５ｂの外周面上に形成されており、該ボトルシャッタ５と、現像剤受け入れ部材302との相対位置を規制する。
【００７９】
図５に示す現像剤受け入れ部材302の凸部からなる傾斜部302ｄと、図13（ｂ）に示すボトルシャッタ５の凹部からなる誘い込み部５ｅとが嵌合する。これにより、図５に示す現像剤受け入れ部材302の現像剤受け入れ口302ａの軸芯と、図13（ｂ）に示すボトルシャッタ５の現像剤補給口５ｂの軸芯とが略同一直線上に一致するように設定されている。
【００８０】
尚、本実施形態では、図13に示すボトルシャッタ５の現像剤補給口５ｂの直径は約２．５ｍｍに設定されている。これにより、図７に示す現像剤補給容器１の現像剤受け入れ装置300への着脱動作に伴うボトルシャッタ５の開閉時に現像剤が飛散して、その周囲が現像剤で汚れてしまうことを防止することが出来る。
【００８１】
＜保護部材＞
次に、図７、図８及び図14を用いて保護部材６の構成について説明する。図７及び図８に示すように、図14に示す保護部材６は、図16に示す往復部材８、図17に示す伸縮部材９、図11に示す保持部材４等の外周を全体的に覆うように保持部材４に組み付けられている。これにより、図７に示す現像剤補給容器１の物流時等に受ける振動や衝撃から保護する。
【００８２】
また、図14（ａ）に示すように、保護部材６の図７の矢印ｄ方向で示す現像剤補給容器１の装着方向下流側の端面には図６に示す保持機構304に設けられた引き込み部材304ａの突当部304a1に当接する当接部６ａが設けられている。
【００８３】
更に、図14（ｂ）に示すように、保護部材６には、図11に示す保持部材４と係合する係合部６ｂが設けられている。更に、図16に示す往復部材８のアーム部８ｃが長手方向（図16（ａ）の左右方向）に摺動自在に嵌入されて該往復部材８の回転を規制する回転規制部６ｃが設けられている。
【００８４】
＜動力変換部材＞
次に、図８及び図15を用いて動力変換部材７の構成について説明する。図８に示すように、動力変換部材７は、現像剤収容体２の回転保持部２ｄを覆うように設けられた略円筒体で構成される。図15（ａ）に示すように、動力変換部材７には、図８に示す現像剤収容体２の回転保持部２ｄと嵌合する嵌合部７ｅが設けられている。嵌合部７ｅの外周面上には、図３に示す画像形成装置100本体の駆動部305から回転駆動力を受ける駆動受け部７ａが形成されている。
【００８５】
更に、動力変換部材７の外周面には、図16（ｂ）に示すＵ字形状の往復部材８のアーム部８ｃの両端部で内側に突出して設けられた突起部８ｂと係合するカム溝７ｂが形成されている。動力変換部材７は駆動受け部７ａで受けた回転駆動力により回転する。
【００８６】
その際に、動力変換部材７の外周面に設けたカム溝７ｂに沿って往復部材８のアーム部８ｃの両端部に設けた突起部８ｂが摺動する。これにより、往復部材８のアーム部８ｃが図14に示す保護部材６の回転規制部６ｃに沿って図７の矢印ｄ方向、或いは、図７の矢印ｄ方向と反対方向に移動する。これにより、動力変換部材７の回転運動を該動力変換部材７の回転軸線方向への往復運動に変換することが出来る。
【００８７】
また、図15（ｃ）に示すように、動力変換部材７の内周面には、図８に示す現像剤収容体２のリブ状突起部からなる被係合部２ｅと係合して駆動受け部７ａで受けた回転駆動力を該現像剤収容体２へ伝達する溝部からなる係合部７ｃが形成されている。
【００８８】
＜往復部材＞
次に、図16を用いて往復部材８の構成について説明する。図16（ｂ）に示すように、Ｕ字形状からなる往復部材８は、図17に示す伸縮部材９の把持部９ｃと係合して該伸縮部材９を往復部材８と一体的に往復変位させる係合部８ａを有する。更に、図15（ａ）に示す動力変換部材７のカム溝７ｂと係合して該動力変換部材７の回転軸線方向の往復運動が伝達される突起部８ｂがアーム部８ｃの両端部に設けられている。
【００８９】
尚、往復部材８の係合部８ａと、突起部８ｂとは、図14に示す保護部材６の回転規制部６ｃ内に嵌合されて回転が規制されるアーム部８ｃによって連結されている。
【００９０】
また、図16（ａ）に示すように、往復部材８のアーム部８ｃには、図14に示す保護部材６の回転規制部６ｃの内壁面に対して鉛直方向の付勢力を持って当接するＵ字形状の弾性変形部８ｄが形成されている。弾性変形部８ｄは自身の弾性力によって積極的に回転規制部６ｃの内壁面と当接し、該回転規制部６ｃと、アーム部８ｃとの間のガタを詰めて往復部材８が保護部材６の回転規制部６ｃに沿って往復移動することによって発生する振動や音を防ぐことができる。
【００９１】
＜伸縮部＞
次に、図17を用いて容積可変手段となる伸縮部材（ポンプ部）９の構成について説明する。図17に示すように、伸縮部材９は、一端が解放された円筒状の開口部９ａと、該開口部９ａの外周面上に設けられたネジ部９ｂと、該開口部９ａの他端側に接続されたヒダ状の伸縮部９ｄと、該伸縮部９ｄに接続された把持部９ｃとを有して構成されている。
【００９２】
伸縮部材９の開口部９ａ側は、該開口部９ａの外周面に設けられたネジ部９ｂが図11（ｃ）に示す保持部材４のネジ部４ｃに螺合締結されることで該保持部材４に固定される。また、伸縮部材９の把持部９ｃ側は、該把持部９ｃが図16に示す往復部材８の係合部８ａと係合することにより係止されて図８に示すように、保持部材４と往復部材８との間に配置される。
【００９３】
伸縮部材９は往復部材８の図16（ａ）の左右方向の往復運動を受けて伸縮部９ｄが伸縮されることにより伸縮可能となる。図８に示すように、図17に示す伸縮部材９と、図11に示す保持部材４の円筒部４ｊと、図15に示す円筒状の動力変換部材７と、図９に示す現像剤収容部２ａの開口部２ｃとは、それぞれの中空内部が連通されて且つ密封して接続される。
【００９４】
そして、伸縮部材９の伸縮部９ｄの伸縮による吸排気によって発生するエアを利用して現像剤を排出する。現像剤は、図11（ｃ）に示す保持部材４の円筒部４ｊの下部に設けられた貯留部４ａ、座面４ｆ上に貼着された図12に示す開口シール10の排出口10ａから排出される。更に、図13に示すボトルシャッタ５の現像剤補給口５ｂからなる排出口、図５に示す現像剤受け入れ部材302の現像剤受け入れ口302ａから図３（ｂ）に示すバッファ部303に排出される。
【００９５】
図３に示すように、画像形成装置100の現像剤受け入れ装置300側に設けられる図５に示す現像剤受け入れ部材302の現像剤受け入れ口302ａと接続される。
【００９６】
そして、図13に示すボトルシャッタ５の現像剤補給口５ｂと、図12に示す開口シール10の排出口10ａとは、それぞれ直径が４ｍｍ以下の貫通穴、或いは、その貫通穴の断面積に相当する断面積を有する各種断面形状の貫通穴で構成することが出来る。図13に示すボトルシャッタ５の現像剤補給口５ｂは現像剤収容部２ａ内の現像剤を排出する排出口として構成される。
【００９７】
＜現像剤補給容器の装着動作＞
次に、図３〜図７、図11〜図14を用いて現像剤補給容器１の現像剤受け入れ装置300への装着動作について説明する。尚、図６（ｂ）は現像剤補給容器１の装着開始時における引き込み部材304ａと付勢部材304ｂとの位置関係を示す。図６（ｃ）は現像剤補給容器１の装着途中における引き込み部材304ａと付勢部材304ｂとの位置関係を示す。図６（ｄ）は現像剤補給容器１の装着完了時における引き込み部材304ａと付勢部材304ｂとの位置関係を示す。
【００９８】
図７に示すように、現像剤補給容器１は、図３に示すハウジング301に対して図３及び図７の矢印ｄ方向に装着される。現像剤補給容器１の装着動作に伴って、図13に示すボトルシャッタ５の保持突起部５ｃが図４に示すハウジング301の凹溝からなるボトルシャッタ保持部301ｂと係合してハウジング301に対してボトルシャッタ５の位置が規制される。
【００９９】
このとき、図３に示す現像剤受け入れ部材302は現像剤補給容器１に対して離間している。また、図６に示す保持機構304の突当部304a1と、図14に示す保護部材６の当接部６ａとは当接していない。
【０１００】
従って、図６に示す保持機構304の引き込み部材304ａは、付勢部材304ｂの引っ張り力により支軸304a3を中心に図６（ｂ）の矢印ａ方向に付勢される。そして、現像剤受け入れ装置300のフレームに設けられた図示しないストッパにより係止される。これにより、図６（ｂ）に示す初期位置の姿勢に保持されている。更に、図３に示す駆動部305と、図７に示す駆動受け部７ａとは噛合されておらず、画像形成装置100側から現像剤補給容器１へ駆動力は伝達されていない。
【０１０１】
現像剤補給容器１が更に図３及び図７の矢印ｄ方向に挿入される。すると、現像剤補給容器１に設けられる図13に示すボトルシャッタ５の保持突起部５ｃが、図４（ａ）に示すハウジング301の凹溝からなるボトルシャッタ保持部301ｂに嵌合して係止される。そして、ボトルシャッタ５のみがその位置で保持される。
【０１０２】
一方、ボトルシャッタ５を除く現像剤補給容器１は、現像剤受け入れ装置300に対して、更に図３（ａ）の矢印ｄ方向へ変位する。
【０１０３】
そして、図14に示す保護部材６の当接部６ａが、図６に示す引き込み部材304ａの突当部304a1に当接する。そして、図６（ｃ）に示すように、ユーザの挿入力により付勢部材304ｂの引っ張り力に抗してバネ引き込み部材304ａを支軸304a3を中心に図６（ｃ）の矢印ｃ方向に回転させる。
【０１０４】
その際、図６（ｂ）に示すように、現像剤補給容器１の装着開始初期位置の姿勢では、付勢部材304ｂが引き込み部材304ａの支軸304a3よりも該引き込み部材304ａの回転方向となる矢印ｃ方向の上流側に位置する。このため、引き込み部材304ａは付勢部材304ｂの付勢力の分力によって図６（ｂ）の矢印ａ方向に付勢されている。
【０１０５】
従って、現像剤補給容器１は装着動作に伴って、図６に示す保持機構304の付勢部材304ｂの引っ張り力（付勢力）により図14に示す保護部材６の当接部６ａを介して図７の矢印ｄ方向と反対方向の付勢力を受ける。このとき、現像剤補給容器１の装着動作を実施しているユーザは、図６（ａ）に示す保持機構304の付勢部材304ｂの引っ張り力により該現像剤補給容器１を図７の矢印ｄ方向へ挿入する際に図７の矢印ｄ方向と反対方向の抵抗力を受ける。
【０１０６】
本実施形態では、現像剤補給容器１の装着操作性の観点から、該現像剤補給容器１を図７の矢印ｄ方向へ挿入する際に図７の矢印ｄ方向と反対方向の抵抗力の発生源である付勢部材304ｂの引っ張り力による付勢力を約２０Ｎとしている。また、図３に示す現像剤受け入れ部材302は現像剤補給容器１に対して離間している。更に、図３に示す駆動部305と、図７に示す駆動受け部７ａとは噛合しておらず画像形成装置100から現像剤補給容器１へ駆動力は伝達されていない。
【０１０７】
次に、図６（ａ）に示す保持機構304の付勢部材304ｂの引っ張り力による図７の矢印ｄ方向と反対方向の付勢力に抗して、現像剤補給容器１を図７の矢印ｄ方向に挿入する。このとき、図14（ａ）に示す保護部材６の当接部６ａが、図６に示す引き込み部材304ａの突当部304a1に当接した状態で現像剤補給容器１は図７の矢印ｄ方向へ挿入される。
【０１０８】
このとき、図６に示す引き込み部材304ａの突当部304a1に図14に示す保護部材６の当接部６ａが当接して図７の矢印ｄ方向へ押される。これにより、図６（ｃ）に示すように、引き込み部材304ａは支軸304a3を中心として図６（ｃ）の矢印ｃ方向へ回動する。
【０１０９】
従って、付勢部材304ｂは、図６（ｃ）に示すように、支軸304a3上を通る位置へと変位し、該付勢部材304ｂの引っ張り力による付勢力は該付勢部材304ｂが圧縮される方向へのみ作用し、その分力は引き込み部材304ａの回転方向には作用しない。従って、引き込み部材304ａが図６（ｃ）に示す位置において、ユーザは、現像剤補給容器１を図７の矢印ｄ方向へ挿入する際に該付勢部材304ｂの引っ張り力による抵抗力を受けない。
【０１１０】
ここで、図11に示す現像剤補給容器１の保持部材４の傾斜部４ｄ，４ｋと、図３に示す現像剤受け入れ部材302の係合突起部302ｃとが係合し、該係合突起部302ｃが傾斜部４ｄ，４ｋの間に設けられたガイド溝４ｐに沿って摺動移動する。これにより、現像剤受け入れ部材302が図３（ｂ）に示すコイルバネからなる付勢部材302ｅの伸長力に抗して図３（ｂ）の上方向に変位する。
【０１１１】
このとき、図11（ｃ）の座面４ｆ上に貼着された図12に示す開口シール10の排出口10ａは、図13に示すボトルシャッタ５の封止部５ａが圧接されて該排出口10ａが封止されている。そして、貯留部４ａに貯留されている現像剤は該排出口10ａから排出されないようになっている。
【０１１２】
尚、図６（ｃ）に示す姿勢位置においても図３に示す駆動部305は、図７に示す駆動受け部７ａと噛合しておらず、画像形成装置100から現像剤補給容器１へ駆動力は伝達されていない。
【０１１３】
更に、現像剤補給容器１を図７の矢印ｄ方向へ挿入しようとすると、図６（ｄ）に示すように、引き込み部材304ａが支軸304a3を中心に図６（ｄ）の矢印ｃ方向へ回転する。このとき、図６に示す抑え部304a2が図11に示す保持部材４の保持突起部４ｈに形成された当接部4h1に当接する。
【０１１４】
このとき、図６（ｄ）に示す付勢部材304ｂは、引き込み部材304ａの回転中心となる支軸304a3に対して図６（ｄ）の矢印ｃ方向の回転方向下流側の位置に変位する。これにより、付勢部材304ｂの引っ張り力による付勢力の分力により引き込み部材304ａは支軸304a3を中心に図６（ｄ）の矢印ｃ方向へ回転する。
【０１１５】
そのため、付勢部材304ｂの付勢力の図７の矢印ｄ方向の分力が引き込み部材304ａの抑え部304a2より図11に示す保持部材４の当接部4h1を介して現像剤補給容器１へ付与される。従って、現像剤補給容器１は、図14（ａ）に示す保護部材６の当接部６ａが図３に示すハウジング301のストッパ301ｅに突き当たるまで付勢部材304ｂの付勢力の分力によって引き込まれる。
【０１１６】
即ち、現像剤補給容器１は、付勢部材304ｂの付勢力によって図３に示すハウジング301のストッパ301ｅに対して押し付けられた状態となり、装着位置に保持される。
【０１１７】
また、図６（ｄ）に示す現像剤補給容器１の装着位置では以下の通りである。引き込み部材304ａの図11に示す保持部材４の当接部４h1に当接係合する抑え部304a2の当接辺304a4は、該保持部材４を介して現像剤補給容器１を鉛直下方向へ押し付ける分力が働くように水平方向に対して所定角度に設定されている。
【０１１８】
本実施形態では、排出口と係合突起部302cとの接合部は、当接部4h1よりも鉛直下方向に位置している。そのため、排出口と係合突起部302cとの当接性を高めることができる。即ち、排出口が係合突起部302cに接続する接続方向に付勢力が働く構成であればいい。
【０１１９】
これにより、現像剤補給容器１はハウジング301に対して図３（ｂ）の鉛直下方向へ押し付けられており、その装着位置が安定的に保持される。これにより、図11に示す保持部となる保持部材４の保持突起部４ｈは、図３（ｂ）に示す保持機構304により図３（ｂ）の鉛直方向下向きの保持力を受ける。
【０１２０】
また、図６（ｄ）に示す現像剤補給容器１の装着位置では以下の通りである。図３（ａ）に示す現像剤受け入れ部材302の現像剤受け入れ口302ａと、図13に示す現像剤補給容器１のボトルシャッタ５に形成された現像剤補給口５ｂと、図12に示す開口シール10に形成された排出口10ａとが連通する。
【０１２１】
更に、図５に示す現像剤受け入れ部材302に形成された凸部からなる傾斜部302ｄが、図13（ｂ）に示すボトルシャッタ５に形成された凹部からなる誘い込み部５ｅ内に誘い込まれる。これにより、図13に示す現像剤補給口５ｂの軸芯と、図５（ａ）に示す現像剤受け入れ口302ａの軸芯とがほぼ同一直線上に位置して連通される。
【０１２２】
このように、現像剤補給容器１側のボトルシャッタ５に形成された現像剤補給口５ｂと、画像形成装置100側の現像剤受け入れ部材302の現像剤受け入れ口302ａとを連通させる水平方向及び鉛直方向の位置精度を向上した。
【０１２３】
即ち、保持機構304が保持部となる保持部材４を保持する。これにより、水平方向（現像剤補給容器１を現像剤受け入れ装置300に挿入する挿入方向）と鉛直方向（排出口が係合突起部302ｃに接続する接続方向）との両方向において以下の通りである。即ち、現像剤補給容器１の現像剤受け入れ装置300に対する位置決めの精度が上がる。
【０１２４】
このため、現像剤収容部２ａ内の現像剤を排出する排出口となる図12に示す開口シール10の排出口10ａの口径を小さく出来る。更に、図13に示すボトルシャッタ５の現像剤補給口５ｂの口径を小さく出来る。更に、図５（ａ）に示す現像剤受け入れ部材302の現像剤受け入れ口302ａの口径を小さく出来る。
【０１２５】
従って、現像剤収容部２ａ内の現像剤を排出する排出口となる図12に示す開口シール10の排出口10ａの口径は以下の通りである。更に、図13に示すボトルシャッタ５の現像剤補給口５ｂの口径は以下の通りである。更に、図５（ａ）に示す現像剤受け入れ部材302の現像剤受け入れ口302ａの口径は以下の通りである。それぞれの口径は直径が４ｍｍ以下の貫通穴、或いは、その貫通穴の断面積に相当する断面積を有する貫通穴で構成することが出来る。
【０１２６】
更に、図３に示す駆動部305と、図７に示す現像剤補給容器１の駆動受け部７ａとが係合する。つまり、図７に示す現像剤補給容器１は、図３に示す駆動部305からの駆動力を受けて回転し、該現像剤補給容器１内の現像剤を排出可能な構成とされる。
【０１２７】
本実施形態では、現像剤補給容器１側に設けられる図13に示すボトルシャッタ５の現像剤補給口５ｂの口径は、安定した現像剤補給性能及び現像剤の飛散を防止するために直径が２．５ｍｍ程度に設定されている。
【０１２８】
従って、図12に示す開口シール10の排出口10ａと、図13に示すボトルシャッタ５の現像剤補給口５ｂと、図５（ａ）に示す現像剤受け入れ部材302の現像剤受け入れ口302ａとの連通状態は以下の通りである。
【０１２９】
本実施形態のように、現像剤補給容器１側に設けられる図13に示すボトルシャッタ５の現像剤補給口５ｂの口径を非常に小径の直径が２．５ｍｍ程度に設定した。
【０１３０】
この場合、現像剤補給容器１の装着位置の維持が非常に重要である。また、現像剤補給容器１側の図12に示す開口シール10の排出口10ａの連通状態や接続状態を維持することが非常に重要である。更に、図13に示すボトルシャッタ５の現像剤補給口５ｂの連通状態や接続状態を維持することが非常に重要である。更に、画像形成装置100側の図３（ａ）に示す現像剤受け入れ部材302の現像剤受け入れ口302ａの連通状態や接続状態を維持することが非常に重要である。
【０１３１】
例えば、直径が２．５ｍｍの現像剤補給口５ｂと、現像剤受け入れ口302ａとが正規の連通位置よりも現像剤補給容器１の装着方向に約１ｍｍズレた場合、現像剤を補給できる開口面積が顕著に小さくなる。
【０１３２】
本実施形態では、現像剤補給容器１と、現像剤受け入れ装置300とは、以下の通りである。図６（ｄ）に示す現像剤補給容器１の装着完了位置において、図３に示すように、図11に示す保持部材４の保持突起部４ｈと、図３に示す保持機構304の抑え部304a2との位置が以下の通りである。図13に示すボトルシャッタ５の現像剤補給口５ｂと、図３に示す現像剤受け入れ部材302の現像剤受け入れ口302ａとの位置に対して以下の通りである。図７に示す現駆動受け部７ａと、図３に示す駆動部305との位置の対向側に配置される。
【０１３３】
即ち、図11に示す保持部となる保持部材４の保持突起部４ｈは以下の通りである。現像剤収容部２ａ内の現像剤を排出する排出口となる図12に示す開口シール10の排出口10ａと、図13に示すボトルシャッタ５の現像剤補給口５ｂとに対して以下の通りである。図７に示す駆動受け部７ａの回転軸方向となる図７の矢印ｄ方向における該駆動受け部７ａの対向側に設けられている。
【０１３４】
また、図８に示すように、図11に示す保持部となる保持部材４の保持突起部４ｈが現像剤補給容器１の装着方向先端側にある。
【０１３５】
このため、現像剤補給容器１の装着動作においては、図３に示す付勢部材304ｂの付勢力により保持機構304の引き込み部材304ａが回転する。そして、保持機構304の引き込み部材304ａにより、該現像剤補給容器１の先端側に取り付けられた図11に示す保持部材４の保持突起部４ｈが図３（ａ）の矢印ｄ方向に引き込まれる。
【０１３６】
これにより、図７に示す現像剤補給容器１の先端部に設けられた保護部材６の当接部６ａが図３に示すハウジング301のストッパ301ｅに当接するまで引き込まれる。これにより、図13に示すボトルシャッタ５の現像剤補給口５ｂと、図３（ａ）に示す現像剤受け入れ部材302の現像剤受け入れ口302ａとが確実に連通する。
【０１３７】
本実施形態では、図７に示す駆動受け部７ａをギアとし、図３に示す駆動部305をギアとした。そして、図３に示すように、駆動部305を現像剤補給容器１の上部に配置した。これにより、該駆動部305からの回転駆動力を駆動受け部７ａの上部で受ける構成とした。
【０１３８】
従って、図７に示す現像剤収容体２は動力変換部材７を介して回転駆動力を受けて回転する。また、動力変換部材７が駆動部305からの駆動力の反力を図３（ｂ）の下方向に受け、その反力は現像剤補給容器１の振動やガタつきの要因となる。これにより、図13に示すボトルシャッタ５の現像剤補給口５ｂと、図３（ａ）に示す現像剤受け入れ部材302の現像剤受け入れ口302ａとの接続状態に影響が生ずる虞がある。
【０１３９】
尚、動力変換部材７が駆動部305からの駆動力の反力を受けて現像剤補給容器１の振動やガタにより以下の問題が顕著となる。図13に示すボトルシャッタ５の現像剤補給口５ｂと、図３（ａ）に示す現像剤受け入れ部材302の現像剤受け入れ口302ａとの接続状態が不安定となる。その現象は、図３に示す駆動部305が図７に示す駆動受け部７ａへ駆動力を間欠的に伝達する場合には更に顕著となる。
【０１４０】
また、本実施形態の現像剤補給容器１は、図17に示す蛇腹状のポンプからなる伸縮部材９の伸縮動作に伴って吸排気されるエアを利用して現像剤を排出させる。このため、エアの抵抗によって図13に示すボトルシャッタ５の現像剤補給口５ｂと、図３（ａ）に示す現像剤受け入れ部材302の現像剤受け入れ口302ａとが瞬間的に離間する方向に力を受ける。
【０１４１】
しかしながら、本実施形態では、図11に示す保持部となる保持部材４の保持突起部４ｈが図３（ｂ）の下方向に押圧される。これは付勢部材304ｂの付勢力により回転する図３に示す保持機構304の引き込み部材304ａの抑え部304a2の当接辺304a4により保持突起部４ｈが図３（ｂ）の下方向に押圧される。
【０１４２】
更に、図７に示す駆動受け部７ａが図３の上方から駆動部305から伝達される駆動力の反力として図３（ｂ）の下方向に押圧される。
【０１４３】
そして、図７の矢印ｄ方向において以下の通りである。図11に示す保持部材４の保持突起部４ｈと、図７に示す駆動受け部７ａとの間で、図13に示すボトルシャッタ５の現像剤補給口５ｂと、図３（ａ）に示す現像剤受け入れ部材302の現像剤受け入れ口302ａとが連通される。
【０１４４】
即ち、現像剤補給容器１が装着位置で以下の通りである。図11に示す保持部となる保持部材４の保持突起部４ｈは、付勢部材304ｂの付勢力により回転する図３に示す保持機構304の引き込み部材304ａの抑え部304a2の当接辺304a4により該現像剤補給容器１の装着方向に付勢力を受ける。
【０１４５】
更に、図３（ａ）に示す現像剤受け入れ部材302の現像剤受け入れ口302ａと、現像剤収容部２ａ内の現像剤を排出する排出口となる図13に示すボトルシャッタ５の現像剤補給口５ｂとの接続方向とに付勢力を受ける。
【０１４６】
これにより、図13に示すボトルシャッタ５の現像剤補給口５ｂと、図３（ａ）に示す現像剤受け入れ部材302の現像剤受け入れ口302ａとは、図３（ｂ）の下方向にも図３（ｂ）の上方向にも変位しない。
【０１４７】
つまり、現像剤補給容器１の装着完了時の図13に示すボトルシャッタ５の現像剤補給口５ｂと、図３（ａ）に示す現像剤受け入れ部材302の現像剤受け入れ口302ａとの接続状態を保持することができ、安定した現像剤補給性能を維持できる。
【０１４８】
従って、図13に示すボトルシャッタ５の現像剤補給口５ｂと、図３（ａ）に示す現像剤受け入れ部材302の現像剤受け入れ口302ａとの接続部から現像剤が飛散を低減することができる。
【０１４９】
＜比較例１＞
比較例１として、保持突起部４ｈを現像剤補給口５ｂと駆動受け部７ａとの間に設けた場合、現像剤補給容器１の装着動作においては、前記実施形態の現像剤補給容器１と同様に装着方向の位置がズレることはない。
【０１５０】
しかしながら、現像剤補給容器１の現像剤補給動作においては、現像剤補給口５ｂが保持突起部４ｈよりも駆動受け部７ａから離れた位置にある。このため、駆動部305から駆動受け部７ａが受ける反力や、伸縮部材９の伸縮動作により現像剤を排出させるエア抵抗により、瞬間的な現像剤補給口５ｂの変位を規制することは困難であった。これにより、現像剤補給口５ｂと現像剤受け入れ口302ａとの接続状態が崩れた。
【０１５１】
また、駆動受け部７ａと保持突起部４ｈとの距離が前記実施形態の現像剤補給容器１よりも必然的に短くなる。このため、同様の付勢部材304ｂを用いた場合、引き込み部材304ａによる現像剤補給容器１の抑え込み効果は低下する。
【０１５２】
従って、本実施形態の現像剤補給容器１と比較して、現像剤を安定して補給できなくなり、また、現像剤補給口５ｂと現像剤受け入れ口302ａとの接続部から現像剤の飛散量が多くなる。
【０１５３】
特に、本実施形態の現像剤補給容器１においては伸縮部材９の伸縮動作によりエアを用いて現像剤を補給している。このため、現像剤補給口５ｂと現像剤受け入れ口302ａとの接続状態が崩れたことによって発生した隙間が小さくてもエアと共に現像剤が吹き出されるため現像剤の漏れが発生し易い。
【０１５４】
比較例１の上記問題を解決するためには、保持機構304の付勢部材304ｂの付勢力を大きくして更に強い力で現像剤補給容器１を抑えることも考えられる。その弊害として現像剤補給容器１の装着動作時の摺動抵抗力が大きくなってしまい、現像剤補給容器１の装着操作性が低下する。
【０１５５】
また、図11に示す保持部材４の保持突起部４ｈと、図14に示す保護部材６の当接部６ａとの離間距離が本実施形態の現像剤補給容器１よりも長くなる。それに伴い現像剤受け入れ装置300の図６に示す保持機構304の突当部304a1と、抑え部304a2との離間距離も長くなる。このため、引き込み部材304ａが必然的に大型化する。
【０１５６】
即ち、現像剤受け入れ装置300に大きなスペースが必要となり、画像形成装置100本体が大型化する。従って、本実施形態の現像剤補給容器１のように、現像剤補給動作時の現像剤補給容器１の位置ズレを規制する。
【０１５７】
そのためには、位置ズレの主因である図３に示す駆動部305の駆動力を受ける図７に示す駆動受け部７ａと、現像剤補給容器１の位置ズレを規制する図11に示す保持部材４の保持突起部４ｈとの離間距離を極力大きくする。
【０１５８】
更に、現像剤補給容器１の図６に示す保持機構304の引き込み部材304ａの抑え部304a2と、該抑え部304a2と係合する図11に示す保持部材４の保持突起部４ｈとの離間距離を極力小さくする。
【０１５９】
更に、現像剤補給容器１の装着方向において、図７に示す駆動受け部７ａと、図11に示す保持部材４の保持突起部４ｈとの間に図13に示すボトルシャッタ５の現像剤補給口５ｂを設けることが望ましい。ボトルシャッタ５の現像剤補給口５ｂは図３に示す現像剤受け入れ部材302の現像剤受け入れ口302ａとの接続状態を確保する。
【０１６０】
＜比較例２＞
比較例２として現像剤補給容器１及び現像剤受け入れ装置300は、保持突起部４ｈと保持機構304を設けていない。比較例２の現像剤補給容器１の装着動作において、現像剤補給容器１がユーザによって確実に装着完了した場合は、現像剤受け入れ口302ａと現像剤補給口５ｂとの位置ズレは発生しない。
【０１６１】
しかしながら、例えば、ユーザが現像剤補給容器１の装着を途中で止めてしまった場合、図６に示す保持機構304を設けていないため、現像剤補給容器１は装着完了位置まで引き込まれない。従って、現像剤補給口５ｂと現像剤受け入れ口302ａとは連通せず、現像剤補給容器１から現像剤を安定して補給することが困難となる。
【０１６２】
また、現像剤補給容器１を装着できたとしても、現像剤補給容器１の補給動作において、駆動部305から駆動受け部７ａが受ける駆動力の反力や、現像剤を排出するエアの抵抗によって以下の問題がある。現像剤補給口５ｂと現像剤受け入れ口302ａとが瞬間的に離間方向に変位しようとする。
【０１６３】
従って、現像剤補給容器１から現像剤を安定して補給できない上、現像剤補給口５ｂと現像剤受け入れ口302ａとの接続部から現像剤の飛散量が多くなる。
【０１６４】
前述した本実施形態の現像剤補給容器１、並びに比較例１、２の現像剤補給容器について、その性能比較結果を図18に示す。
【０１６５】
図18において、装着安定性とは現像剤補給容器１の装着動作の確実性を示し、補給安定性とは図13に示すボトルシャッタ５の現像剤補給口５ｂからの現像剤の安定した補給性能を示す。現像剤汚染とは現像剤補給容器１及び現像剤受け入れ装置300が現像剤の飛散によって汚染されるか否かを示す。コンパクト化は現像剤受け入れ装置300、或いは画像形成装置100が省スペース化可能か否かを評価したものである。尚、図18中の「○」は他者に対しての優位点、「×」は他者に対しての劣勢点を示す。
【０１６６】
図18に示すように、本実施形態の現像剤補給容器１は、比較例１、２に示す現像剤補給容器と比較して、装着安定性が優れており、結果として安定した現像剤補給性能が得られる。更に、現像剤による汚染を少なくすることができる。また、画像形成装置100及び現像剤受け入れ装置300のコンパクト化にも寄与できた。
【０１６７】
上記構成によれば、本実施形態の現像剤補給容器１を提供することにより、現像剤補給容器１の装着動作において、現像剤受け入れ装置300へ現像剤補給容器１を確実に装着できる。更に、現像剤の補給動作において、現像剤補給容器１を現像剤受け入れ装置300の装着位置に確実に保持することが出来る。また、安定した現像剤補給性能を得ることができる。また、現像剤補給容器１と現像剤受け入れ装置300との接続部からの現像剤の飛散を防止し、現像剤補給容器１及び現像剤受け入れ装置300の現像剤漏れによる汚染を防ぐことができる。
【符号の説明】
【０１６８】
１    …現像剤補給容器
２ａ  …現像剤収容部
２ｂ  …搬送部
４ｈ  …保持突起部(保持部)
５ｂ  …現像剤補給口(排出口)
７ａ  …駆動受け部
10ａ  …排出口
100   …画像形成装置
302ａ …現像剤受け入れ口
304   …保持機構
305   …駆動部
【図１】
2014182267.tif 000003
【図２】
2014182267.tif 000004
【図３】
2014182267.tif 000005
【図４】
2014182267.tif 000006
【図５】
2014182267.tif 000007
【図６】
2014182267.tif 000008
【図７】
2014182267.tif 000009
【図８】
2014182267.tif 000010
【図９】
2014182267.tif 000011
【図１０】
2014182267.tif 000012
【図１１】
2014182267.tif 000013
【図１２】
2014182267.tif 000014
【図１３】
2014182267.tif 000015
【図１４】
2014182267.tif 000016
【図１５】
2014182267.tif 000017
【図１６】
2014182267.tif 000018
【図１７】
2014182267.tif 000019
【図１８】
2014182267.tif 000020